(57)【特許請求の範囲】
【請求項１】
操作画面を表示する表示部を具備した自動取引装置において、
前記表示部は、一方の視野角と他方の視野角とが背反する所定のマスクパターンを設け、取引画面を前記マスクパターンによりマスクしてそれぞれの視野角に投影するようにしたことを特徴とする自動取引装置。
【請求項２】
前記マスクパターンを、表示画面半分程度の大きさのマスクパターンとしたことを特徴とする請求項１記載の自動取引装置。
【請求項３】
前記マスクパターンを、文字単位の大きさで構成したことを特徴とする請求項１記載の自動取引装置。
【請求項４】
前記マスクパターンを、複数種類の図形で構成したことを特徴とする請求項１記載の自動取引装置。
【請求項５】
前記マスクパターンを、取引操作画面ごと或いは所定の時間ごとに変化させるようにしたことを特徴とする請求項１ないし請求項４いずれか記載の自動取引装置。
【請求項６】
所定の取引操作以外では、前記マスクパターンによるマスクすることを停止するようにしたことを特徴とする請求項１ないし請求項５いずれか記載の自動取引装置。
【発明の詳細な説明】
【技術分野】
【０００１】
本発明は、金融機関の店舗やコンビニエンスストア等に設置され、暗証番号入力や金額入力等の取引操作を誘導する画面の表示制御を行う自動取引装置に関する。
【背景技術】
【０００２】
従来、金融機関やコンビニエンスストア等に設置されている自動取引装置は、キャッシュカード等を使用して、顧客が、タッチパネル付き液晶装置の操作画面に従い、暗証番号や口座番号等の顧客情報を入力することにより現金取引を可能とし、所望の取引ができるようになっている。
【０００３】
近年、この顧客情報を入力する際に、第三者に操作画面を覗き見され顧客情報を盗み見取られ、キャッシュカードや通帳が盗まれ、顧客の預金が引き出されるなどの事件が多発している。これらの不正行為を防止するために、視野角制限フィルタとして偏向シートをタッチパネルに配置し、視野角制限範囲から見ると黒画面のように見えるようにしたり、タッチパネルを筐体の凹部に設けたりして、顧客の正面以外からは表示内容が見えないようにしていた（例えば、特許文献１参照）。
【特許文献１】特開平５−３３４５２７号公報
【発明の開示】
【発明が解決しようとする課題】
【０００４】
しかしながら、以上のように視野角制限フィルタを設けた場合は、正面以外は黒画面に見えるため、正面以外から自動取引装置に近づいた場合などでは、装置が稼働しているどうかが判別し難いという問題があった。また、操作時以外の待機時画面において不特定多数への広告表示をしても遠方から見たときは黒画面にしか見えないので広告表示としての利用が困難であった。
【課題を解決するための手段】
【０００５】
本発明は、前述の課題を解決するため次の手段を採用する。すなわち、本発明は、操作画面を表示する表示部を具備した自動取引装置において、前記表示部は、一方の視野角と他方の視野角とが背反する所定のマスクパターンを設け、取引画面を前記マスクパターンによりマスクしてそれぞれの視野角に投影するようにした。
【０００６】
或いは、さらに所定の取引操作以外では、前記マスクパターンによりマスクすることを停止するようにした。
【発明の効果】
【０００７】
本発明の自動取引装置によれば、表示部を、一方の視野角と他方の視野角とが背反する所定のマスクパターンを設け、取引画面を前記マスクパターンによりマスクして各視野角に投影するようにしたので、正面以外は前記マスクパターンによりマスクされ、顧客情報等を盗み取られることがない。
【０００８】
また、取引操作以外の待機時では、一方の視野角と他方の視野角に同じ画面を投影するので、いずれの方向へも通常の画面を表示することができ、装置の稼動状態を把握できるとともに、広告などの表示として利用することもできる。
【発明を実施するための最良の形態】
【０００９】
以下、本発明に係る実施の形態例を、図面を用いて説明する。図面に共通する要素には同一の符号を付す。
【実施例１】
【００１０】
実施例１の自動取引装置は、一方の視野角と他方の視野角とが背反する表示画面半分程度の大きさのマスクパターンを設け、取引画面を当該マスクパターンによりマスクし、各視野角に投影するようにしたものである。
【００１１】
（構成）
まず、実施例１の自動取引装置は、図１のブロック図に示したように、後述の各部を制御する主制御部２、取引を行うための操作画面を表示する表示部および各操作を行うためのタッチパネルから構成されるタッチパネル付液晶装置３、キャッシュカード等に記録された情報のリードライトを行うカード処理部１０、操作ガイダンス等を出力する音声案内部１１、通帳の磁気ストライプのリードライトおよび通帳への印字制御を行う通帳処理部１２、取引明細を印字出力する明細票処理部１３、紙幣の入出金制御を行う紙幣入出金部１４、硬貨の入出金制御を行う硬貨入出金部１５を有する。
【００１２】
さらに、実施例１の自動取引装置は、各部に電源を供給する電源部１６、主制御部２の記憶部としてのメモリ部１７、図示しないホストコンピュータとのインタフェイスを制御するインタフェイス部１８を有する。
【００１３】
次に、実施例１の自動取引装置のタッチパネル付液晶装置３の構成を図２に示す。同図に示したように、実施例１のタッチパネル付液晶装置３は、視野角制御を行うために、２つの画像（以下、「デュアル画像」という）を所定の画素置きに交互に表示する液晶装置３ａと、この表示画像を矢印ＤＲ、ＤＭ、ＤＬのように投影するためのバックライト３ｄと、前記表示間隔に対応させ視差バリアとして設ける視野角制御フィルタ３ｂとからなり、この上に、透明タッチパネル３ｃを設けた構成となっている。
【００１４】
このデュアル画像は、図３に示したように、バックライト３ｄにより液晶装置３ａの画像が左右方向に投影され、左側方向には、視差バリア３ｂ'により遮られない画素ｄＬ１、ｄＬ２だけが投影され、右側方向には、同様に視差バリア３ｂ'により遮られない視差画素ｄＲ１、ｄＲ２だけが投影される。従って、液晶装置３ａに所定の間隔で２つの異なる画像を表示することにより、左右方向から見ると異なる画像として表示されることになる。また、正面方向には、前記それぞれ異なる画面が合成された画像として投影されるので、合成画像として見ることができる。
【００１５】
実施例１の自動取引装置のタッチパネル付液晶装置３は、以上のデュアル画像の原理を利用して、前述のバックライト３ｄ、液晶装置３ａ、視野角制御フィルタ３ｂを重ね合わせ、液晶装置３ａへの表示を所定のドット間隔にて異なる画像を表示することより、左右の視野角に異なる画像を表示できるようになっている。
【００１６】
また、主制御部２は、液晶装置３ａと透明タッチパネル３ｃに接続されており、生成した画像データを液晶装置３ａに入力し、透明タッチパネル３ｃの出力を主制御部２に入力する構成となっている。
【００１７】
（動作）
以上の構成により、実施例１の自動取引装置は、以下のように動作する。この動作を図４の動作フローチャートおよび図５の表示画面例を用いて説明する。
【００１８】
まず、待機時は、遠方からの全視野角に広告や自動取引装置の状態などの情報を表示するために、左右いずれの方向にも同一の画面を投影し、顧客が自動取引装置に接近したことを検知するまでは、同様に、左右いずれの方向にも同一の画面を投影する（ステップＳ１）。
【００１９】
そして、顧客が取引種別を選択する取引選択画面の表示（ステップＳ２）、暗証番号を入力する操作画面の表示、その後の各取引ごとの操作画面の表示（ステップＳ３）、そして、最後に顧客が取引を終了しレシートやキャッシュカードの返却を受けるまでは（ステップＳ４）、左右それぞれの方向に、画面半分程度の背反するパターンによりマスクした画像を投影するようにする。
【００２０】
このデュアル画像の表示例を図５に示す。同図に示したように、本来の取引画像を画面の中央で２分割し、分割した一方の画像としては意味をなさない画像、本例ではなにも表示しない画像として矢印Ａ、Ｂ方向それぞれの視野角方向へ投影する。すると、矢印Ｌ方向（左側）から画面に近づいたときは分割された画面ａが映し出され、矢印Ｒ方向（右側）から画面に近づいたときは画面ｂが映し出される。
【００２１】
一方、正面から画面に近づいた場合は、矢印Ａ方向へ投影された画像ａと、矢印Ｂ方向へ投影された画面ｂが合成された画面ｃのような取引操作の案内画像が投影されるので、顧客は、通常通り、取引操作を行うことができる。
【００２２】
（実施例１の効果）
以上のように実施例１の自動取引装置によれば、一方の視野角と他方の視野角とが背反する表示画面半分程度の大きさのマスクパターンを設け、取引画面を当該マスクパターンによりマスクし、各視野角に投影するようにしたので、左右から覗き見ても顧客の操作内容が分からず、顧客情報等を盗み取られることがない。
【００２３】
また、取引操作以外の待機時では、一方の視野角と他方の視野角に同じ画面を投影するので、いずれの方向へも通常の画面を表示することができ、装置の稼動状態を把握できるとともに、広告などの表示として利用することもできる。
【実施例２】
【００２４】
実施例２の自動取引装置は、一方の視野角と他方の視野角とが背反する文字単位或いは所定の単位の大きさの複数のマスクパターンを設け、取引画面を当該マスクパターンによりマスクし、各視野角に投影するようにしたものである。
【００２５】
（構成）
実施例２の自動取引装置の構成は実施例１の構成と同様であるので、簡略化のためにその説明を省略する。
【００２６】
（動作）
実施例２の自動取引装置は、以下のように動作する。なお、取引操作画面の動作は、図４の動作フローチャート用いて説明した実施例１の動作と同様であるので、簡略化のためにその説明を省略する。
【００２７】
実施例２の自動取引装置において、顧客が、取引種別の選択操作を行い、暗証番号を入力する操作画面（図４のステップＳ３）として表示される表示画面例を図６に示す。実施例２の自動取引装置では、矢印Ａ方向、矢印Ｂ方向にそれぞれ、同図に示したような、画像を投影する。
【００２８】
すなわち、矢印Ａ方向には、文字領域においては文字単位、キー表示領域においては表示キー単位、他の図形の表示領域については図形単位として一つ置きに設けたマスクパターンによりマスクして表示し、矢印Ｂ方向には、矢印Ａ方向に投影したマスクパターンと背反したパターンによりマスクした画像を投影するようにする。
【００２９】
このようにすることにより、矢印Ｌ方向から画面に近づいたときは画面ｄが表示され、矢印Ｒ方向から画面に近づいたときは画面ｅが表示されるので、正面以外から見ると表示画像が格子状にマスクされ、どのような画面が表示されているか分からない。
【００３０】
また、顧客が正面から見た場合は、矢印Ｌ方向の画像ｄと矢印Ｒ方向の画像ｅが合成された、画面ｆが投影されるので、通常の取引画面として見ることができる。
【００３１】
なお、以上の説明では、文字単位や所定の単位で、一つ置きに設けたマスクパターンによりマスクして表示するように説明したが、一つ置きではなく、複数置きにしたパターンによりマスクして表示するようにしてもよい。
【００３２】
（実施例２の効果）
以上のように、実施例２の自動取引装置によれば、一方の視野角と他方の視野角とが背反する文字単位或いは所定の単位の大きさの複数のマスクパターンを設け、取引画面を当該マスクパターンによりマスクし、各視野角に投影するようにしたので、実施例１の自動取引装置の効果に加え、正面以外から見ると、さらに分かり難い画面とすることができ、顧客情報等を盗み取られることがない。
【実施例３】
【００３３】
実施例３の自動取引装置は、一方の視野角と他方の視野角とが背反する所定のマスクパターンを設け、取引画面を当該マスクパターンによりマスクし、各視野角に投影するようにしたものである。
【００３４】
（構成）
実施例３の自動取引装置の構成は実施例１の構成と同様であるので、簡略化のためにその説明を省略する。
【００３５】
（動作）
実施例３の自動取引装置は以下のように動作する。なお、取引操作画面の動作は、図４の動作フローチャート用いて説明した実施例１の動作と同様であるので、簡略化のためにその説明を省略する。
【００３６】
実施例３の自動取引装置において、顧客が、取引種別の選択操作を行い、暗証番号を入力する操作画面（図４のステップＳ３）として表示される表示画面例を図７に示す。実施例３の自動取引装置では、矢印Ａ方向、矢印Ｂ方向にそれぞれ、同図に示したような、画像を投影する。
【００３７】
すなわち、実施例３の自動取引装置では、図７の下側図に示したようにマス目状で、背反するマスクパターン５０ａ、５０ｂとし、視野角方向Ａには、マスクパターン５０ａによりマスクした画像ｇを投影し、視野角方向Ｂには、マスクパターン５０ａと背反したマスクパターン画像５０ｂによりマスクした画面ｈを投影するようにする。
【００３８】
このようにすることにより、矢印Ｌ方向から画面に近づいたときは画面ｇが表示され、矢印Ｒ方向から画面に近づいたときは画面ｈが表示されるので、正面以外から見ると表示画像が格子状にマスクされ、どのような画面が表示されているか分からない。
【００３９】
また、顧客が正面から見た場合は、矢印Ｌ方向の画像ｇと矢印Ｒ方向の画像ｈが合成された、画面ｉが投影されるので、通常の取引画面として見ることができる。
【００４０】
なお、図７の例では、マス目をマスクパターンとした例を示したが、図８（ａ）に示したようなダイヤ型のパターンとしてもよいし、図８（ｂ）に示したような任意の図形を組合せた幾何学模様とすることより、さらにマスクパターンを複雑にすることができ、一方の画像だけでは、本来の画像を推測し難くすることができる。
【００４１】
（実施例３の効果）
以上のように、実施例３の自動取引装置によれば、一方の視野角と他方の視野角とが背反する所定のマスクパターンを設け、取引画面を当該マスクパターンによりマスクし、各視野角に投影するようにしたので、正面以外から見たときは、さらに分かり難い画面とすることができる。
【００４２】
《その他の変形例》
（１）以上の実施例の説明では、取引開始の取引選択画面から取引終了まで、同じマスクパターンで左右への投影画像をマスクするように説明したが、取引選択画面、暗証番号入力画面、金額入力画面などの各操作画面ごとにマスクパターンを変化させて表示するようにしてもよい。
【００４３】
（２）また、以上の実施例の説明では、取引開始の取引選択画面から取引終了まで、同じマスクパターンで左右への投影画像をマスクする例、或いは操作画面ごとにマスクパターンを変化させて表示するように説明したが、所定の時間ごとにマスクターンを変化させるようにしてもよい。
【００４４】
（３）また、以上の実施例の説明では、２方向の視野角に対するデュアル画像の投影として説明したが、上下方向の視野角を考慮した４方向視野角や、これらを組み合わせた８方向などの多方向の視野角への投影画像を制御するようにすれば、正常に見える視野角をさらに制限することができるので、さらにセキュリティ性を向上させることができる。例えば、自動取引装置に不正に取り付けられたカメラなどで操作画面を表示しても、表示画面になにが表示されているか分からないようにすることもできる。
【００４５】
（４）また、以上の実施例の説明では、マスクパターンにてマスクするように説明したが、マスクするのではなく、背反する特定エリアの画像を表示しないように制御するようにしても勿論よい。
【産業上の利用可能性】
【００４６】
以上述べたように、本発明は、顧客などの操作内容が盗み取られないようにする必要がある自動取引装置などに広く用いることができる。
【図面の簡単な説明】
【００４７】
【図１】実施例１の自動取引装置のブロック図である。
【図２】実施例１のタッチパネル付液晶装置の構成図である。
【図３】デュアル画像表示の概念図である。
【図４】実施例１の自動取引装置の操作画面の動作フローチャートである。
【図５】実施例１の自動取引装置の表示画面例である。
【図６】実施例２の自動取引装置の表示画面例である。
【図７】実施例３の自動取引装置の表示画面例である。
【図８】実施例３の自動取引装置のマスクパターン例である。
【符号の説明】
【００４８】
１    自動取引装置
２    主制御部
３    タッチパネル付液晶装置
３ａ  液晶装置
３ｂ  視野角制御フィルタ
３ｃ  透明タッチパネル
３ｄ  バックライト
５０ａ、５０ｂ  マスクパターン
【図１】
0004835223.tif 000002
【図２】
0004835223.tif 000003
【図３】
0004835223.tif 000004
【図４】
0004835223.tif 000005
【図５】
0004835223.tif 000006
【図６】
0004835223.tif 000007
【図７】
0004835223.tif 000008
【図８】
0004835223.tif 000009